(57)【要約】【課題】  電子機器を覆った状態で回転式の操作部材を操作できるようにした電子機器用カバーを提供すること。【解決手段】  デジタルカメラ１０がカバー本体２２に収容された状態で、つまみ２４の操作部３０が、カバー本体２２の外部で操作部材１８の回転中心とほぼ同軸上に位置している。操作部３０を操作部材１８に押し込むと、カバー片３６と一体につまみ２４全体が操作部材１８側に変位し、係合部３２の曲面３２Ａの外周部が操作部材１８の外周部に係合する。そして、この状態で操作部３０を回転させると、操作部材１８は係合部３２と共に操作部３０と一体に回転し、撮影モードから再生モードに切り換えられる。【選択図】        図２
2005303727.tif 000002
【特許請求の範囲】
【請求項１】
筐体と、前記筐体の表面に設けられた回転式の操作部材を有する電子機器のカバーであって、
前記筐体を覆うカバー本体と、
前記カバー本体により前記筐体を覆った状態で前記操作部材に対応する前記カバー本体の箇所に回転可能に設けられたつまみとを備え、
前記つまみはカバー本体の外部に位置し指により掴むことが可能な操作部と、前記操作部に連結され前記カバー本体の内部で前記操作部材に臨み前記操作部を前記操作部材側に変位させることで前記操作部材に係合し前記操作部が回転されることで該操作部と一体に前記操作部材を回転させる係合部とを有している、
ことを特徴とする電子機器用カバー。
【請求項２】
前記係合部は、前記操作部に前記変位させる方向に力をかけない状態で前記操作部材から離れていることを特徴とする請求項１記載の電子機器用カバー。
【請求項３】
前記カバー本体の箇所は、前記つまみの前記操作部材側への変位を許容する可撓可能な材料で形成されていることを特徴とする請求項１記載の電子機器用カバー。
【請求項４】
前記つまみは、前記操作部と前記係合部との間に、これら操作部および係合部よりも断面が小さい軸部を有し、前記カバーの箇所に前記軸部を挿通する軸部挿通孔が設けられ、前記軸部が軸部挿通孔に挿通されて前記つまみが前記カバーの箇所に配設されていることを特徴とする請求項１記載の電子機器用カバー。
【請求項５】
前記つまみが配設される前記カバーの箇所は、透明な材料で形成されていることを特徴とする請求項１記載の電子機器用カバー。
【請求項６】
前記操作部は円柱状に形成され、前記係合部が前記操作部に臨む箇所は前記操作部と同軸で前記操作部および前記操作部材よりも直径が大きい円盤状に形成され、前記つまみが配設される前記カバーの箇所と前記係合部は、共に透明な材料で形成されていることを特徴とする請求項１記載の電子機器用カバー。
【請求項７】
前記カバー本体により前記筐体を覆った状態で前記操作部材の回転中心とつまみの回転中心は、ほぼ同軸上に位置することを特徴とする請求項１記載の電子機器用カバー。
【請求項８】
前記操作部材に臨む前記係合部の箇所は、前記操作部材よりも大きい内径を有し前記操作部材の外周部に係合可能な前記操作部側に窪む曲面で形成されていることを特徴とする請求項１記載の電子機器用カバー。
【請求項９】
前記操作部材と前記係合部の一方に凸部が設けられると共に他方に前記凸部に係合する凹部が設けられ、前記操作部を前記操作部材側に変位させた際に前記凸部と前記凹部が係合することで前記操作部材と前記係合部とが一体回転可能に係合されることを特徴とする請求項１記載の電子機器用カバー。
【請求項１０】
前記操作部材の回転中心に、該操作部材が回転する面と直交する方向に押圧操作可能に押圧式操作部材が設けられ、前記つまみの回転中心に、前記操作部および前記係合部を貫通し前記操作部側に付勢され前記押圧式操作部材を押圧操作可能な押圧ピンが配設されていることを特徴とする請求項１記載の電子機器用カバー。
【請求項１１】
前記電子機器は撮像装置であることを特徴とする請求項１記載の電子機器用カバー。
【請求項１２】
前記電子機器は撮像装置であり、前記筐体に撮影した画像を表示する液晶パネルが設けられ、前記操作部材は、画像を撮影する撮影モードと、撮影した画像を前記液晶パネルに再生させる再生モードとを切り換えるモード切替スイッチであることを特徴とする請求項１記載の電子機器用カバー。
【発明の詳細な説明】
【技術分野】
【０００１】
本発明は電子機器に被せられ、塵埃やあるいは水滴などから電子機器を保護する電子機器用カバーに関する。
【背景技術】
【０００２】
デジタルカメラやビデオカメラなどのような撮像装置は、例えば、運動会において運動場で用いられ、あるいは、屋外のサッカー場や野球場などで用いられ、塵埃から保護するためにカバーが被せられる。あるいは、プールサイドや海岸などで用いられ、水滴から保護するためにカバーが被せられる。
この種のカバーとして、例えば、特許文献１、特許文献２などが知られている。
【特許文献１】特開２００３−５１９７４号公報
【特許文献２】特開平９−１７９１８５号公報
【発明の開示】
【発明が解決しようとする課題】
【０００３】
しかしながら、この種の従来のカバーは、撮像装置全体を覆う構造であり、撮像装置が有する回転式の操作部材を操作するには、撮像装置をカバーから一旦取り出す必要があり、使い勝手の点で不便であった。例えば、撮像装置がデジタルカメラやビデオカメラで、撮った画像を液晶パネルに再生させる際、回転式の操作部材を回転させ撮影モードから再生モードに切り換える必要があり、このような場合にデジタルカメラやビデオカメラをその都度カバーから取り出す必要があり、使い勝手の点で不便であった。
本発明は前記事情に鑑み案出されたものであって、本発明の目的は、電子機器を覆った状態で回転式の操作部材を操作できるようにした電子機器用カバーを提供することにある。
【課題を解決するための手段】
【０００４】
前記目的を達成するため本発明は、筐体と、前記筐体の表面に設けられた回転式の操作部材を有する電子機器のカバーであって、前記筐体を覆うカバー本体と、前記カバー本体により前記筐体を覆った状態で前記操作部材に対応する前記カバー本体の箇所に回転可能に設けられたつまみとを備え、前記つまみはカバー本体の外部に位置し指により掴むことが可能な操作部と、前記操作部に連結され前記カバー本体の内部で前記操作部材に臨み前記操作部を前記操作部材側に変位させることで前記操作部材に係合し前記操作部が回転されることで該操作部と一体に前記操作部材を回転させる係合部とを有していることを特徴とする。
【発明の効果】
【０００５】
本発明によれば、操作部を操作部材に押し込むと、係合部が操作部材に係合する。そして、この状態で操作部を回転させると、操作部材は係合部と共に操作部と一体に回転し、電子機器をカバーに収容した状態で回転式の操作部材が操作される。
したがって、カバーの使い勝手を向上でき、電子機器のカバーとしての実用的価値、商品価値を格段と高めることが可能となる。
【発明を実施するための最良の形態】
【０００６】
本発明は、電子機器の筐体を覆うカバー本体に回転可能につまみを設け、つまみを、カバー本体の外部に位置し指により掴むことが可能な操作部と、前記操作部に連結され前記カバー本体の内部で前記操作部材に臨み前記操作部を前記操作部材側に変位させることで前記操作部材に係合する係合部とで構成することで上記の目的を達成した。
以下、本発明の電子機器用カバーを電子機器であり、また、撮像装置であるデジタルカメラに適用した実施例について図面にしたがって説明する。
【実施例１】
【０００７】
まず、デジタルカメラの概要から説明する。
図８（Ａ）はデジタルカメラを前方から見た斜視図、図８（Ｂ）はデジタルカメラを後方から見た斜視図を示す。なお、実施例において左右とはカメラの後方から見た左右をいうものとする。
デジタルカメラ１０は、カメラ本体１２（特許請求の範囲の筐体に相当）と鏡筒１４とを備えている。カメラ本体１２の上部には、前方、後方、上方に開放状で左右に延在する凹部１２０２が設けられている。
鏡筒１４は左右方向の長さを有し、カメラ本体１２の凹部１２０２に、左右方向に延在する仮想軸を中心に回転可能に組み込まれている。
鏡筒１４には、被写体像を導く撮影光学系や、導かれた被写体像を撮像する撮像素子などが組み込まれ、鏡筒１４の長手方向と直交する方向における一側には、撮影光学系を構成する撮影レンズ１４０２、ストロボ装置１４０４が配設され、他側には、ファインダ窓１４０６が配設され、図８（Ａ）、（Ｂ）では、撮影レンズ１４０２が前方を向くように鏡筒１４が回転（揺動）した状態を示している。
【０００８】
カメラ本体１２の右側部の上部にはシャッターボタン１２１２が設けられ、後面にはズームスイッチ１２１４が設けられ、また、撮像素子で撮像した画像や各種の文字、記号などが表示される液晶パネル１２１６、液晶パネル１２１６にメニューを表示させるとともにこれらメニューのうちの適宜メニューを選択する十字スイッチ１２１８が設けられている。
カメラ本体１２の左側面の下部には、外部機器と通信を行なうインターフェース用の接続端子１２２０が設けられ、また、この接続端子１２２０を覆う蓋板１２２２が開閉可能に設けられている。
カメラ本体１２の右側面の下部には、バッテリーの収容室１２２４および撮影した画像データを記録するメモリカードの収容室１２２６が設けられ、また、これら収容室１２２４，１２２６を覆う蓋板１２２８が開閉可能に設けられている。
【０００９】
カメラ本体１２の右側面の上部には、マニュアル撮影、オート撮影などの撮影モードや、メモリーカードに記録された画像を液晶パネルに表示させる再生モードなどの各種モードの切り換えを行なう操作部材１８（切り換えスイッチ）が、カメラ本体１２の左右方向に延在する仮想軸を中心として回転可能に設けられている。
操作部材１８は、環板状を呈し、カメラ本体１２の右側面から突出して設けられている。
【００１０】
つぎに、上記構成のデジタルカメラを覆うカバーについて説明する。
図１（Ａ）はデジタルカメラを収容した状態のカバーを前方から見た斜視図、図１（Ｂ）はデジタルカメラを収容した状態のカバーの断面図を示す。
カバー２０は、カメラ本体１２を覆うカバー本体２２と、カバー本体２２に設けられ操作部材１８を回転操作するためのつまみ２４とを有している。
カバー本体２２は、カメラ本体１２の前面、後面、上面、下面、左側面、右側面を覆う前面２２Ａ、後面２２Ｂ、上面２２Ｃ、下面２２Ｄ、左側面２２Ｅ、右側面２２Ｆを有し、扁平な矩形板状に形成されている。
カバー本体２２にはファスナー２４が設けられ、ファスナー２４は左側面２２Ｅの上部から、下面２２Ｄ、右側面２２Ｆの上下方向の中間部にわたって延在している。ファスナー２４を開くことで形成されるファスナー２４に沿った開口２４Ａからデジタルカメラ１０のカバー２０への挿入、取出しが行なわれ、デジタルカメラ１０をカバー２０へ挿入したのちファスナー２４を閉じることで開口２４Ａが閉塞され、デジタルカメラ１０はカバー２０に収容されて覆われ、塵埃や水滴から保護される。
【００１１】
カバー本体２２の前面２２Ａの下半部と、下面２２Ｄ、左側面２２Ｅ、右側面２２Ｆは不透明で軟質で可撓性を有する合成樹脂から構成され、その内側にはクッション材が貼着されている。
また、カバー本体２２の前面２２Ａの上半部と、後面２２Ｂ、上面２２Ｃは透明で軟質で可撓性を有する合成樹脂から構成されている。
なお、不透明で軟質な合成樹脂や、透明で軟質な合成樹脂として従来公知の様々な材料が使用可能である。
本実施例では、カバー２０にデジタルカメラ１０を収容した状態で撮影ができるように、すなわち、撮影レンズ１４０２が前方を向くように鏡筒１４が回転（揺動）した状態でカバー２０に収容できるように、カバー本体２２の前面２２Ａの上半部に、窓部２６が突出形成されている。
窓２６は矩形枠状の枠部材２６０２と、枠部材２６０２の前面の開口２６０４に設けられた透明板２６０６とを有し、透明板２６０６の補強のため開口２６０４の中央に上下に延在する縦部材２６０８が設けられている。枠部材２６０２と縦部材２６０８とは一体に設けられ、枠部材２６０２としてカバー本体２２よりも硬い合成樹脂が用いられ、透明板２６０６として硬質な合成樹脂が用いられる。
【００１２】
図２はつまみ部分の断面図、図３はつまみと操作部材の説明図を示す。
つまみ２４は、カバー２０でカメラ本体１２を覆った状態で操作部材１８に対応するカバー本体２２の箇所に、したがって、右側面２２Fの上部に、操作部材１８の回転中心とほぼ同軸上で左右方向に延在する仮想軸を中心に回転可能に組み込まれている。
つまみ２４は、操作部３０と係合部３２を有している。
操作部３０は、カバー本体２２の外部に位置し指により掴むことができるように形成されている。本実施例では、操作部３０は円柱状を呈し、その外周面に、掴みやすいように凹凸が形成されている。操作部３０は、掴みやすいように、硬質な合成樹脂で形成されている。
係合部３２は、操作部３０に該操作部３０と一体的に動くように連結されている。係合部３２は、カバー本体２２の内部で操作部材１８に臨み操作部３０を操作部材１８側に変位させることで操作部材１８に係合し操作部３０が回転されることで操作部３０と一体に操作部材１８を回転させるように形成されている。
本実施例では、操作部３０と係合部３２との間に、これら操作部３０および係合部３２よりも断面が小さい軸部３４が位置しており、係合部３２と軸部３４は一体に形成されている。
係合部３２の先端は円盤状に形成され、この円盤状の部分が操作部３０側に窪む箇所は曲面３０Ａで形成され、曲面３０Ａの直径は操作部材１８の直径および操作部３０の直径よりも大きな寸法で形成されている。
係合部３２は、操作部材１８に押し付けられた際に、操作部材１８の外周部に係合し（摩擦係合し）、操作部３０を回転することで操作部３０と一体に操作部材１８を回転させることができるように構成されている。係合部３２として、摩擦係数が高い材料が用いられ、本実施例では、ポリプロピレンや塩化ビニールなどのような軟質で透明な合成樹脂、あるいは軟質で透明なゴムが用いられている。
【００１３】
本実施例では、右側面２２Fの上部に、係合部３２よりも大きな輪郭の窓２０１０が形成され、この窓２０１０の周囲を覆うように、透明で軟質で可撓性を有する合成樹脂製のカバー片３６が右側面２２Fの上部に取着されている。
そして、操作部３０がカバー本体２２（カバー片３６）の外部に位置し、係合部３２がカバー本体２２（カバー片３６）の内部に位置した状態で、軸部３４がカバー片３６の軸部挿通孔３６０２に挿通され、この挿通後に軸部３４と操作部３０が一体に連結され、つまみ２４がカバー本体２２（カバー片３６）に組み込まれている。
本実施例では、カバー片３６の内側で軸部３４の外周にゴムパッキン３８が装着され、軸部３４と軸部挿通孔３６０２との間の隙間を塞ぐようにしている。
また、本実施例では、操作部３０に操作部材１８方向への力を作用させない状態で、係合部３２が操作部材１８から離間しているように構成されている。
【００１４】
本実施例によれば、デジタルカメラ１０がカバー本体２２に収容された状態で、つまみ２４の操作部３０が、カバー本体２２の外部で操作部材１８の回転中心とほぼ同軸上に位置している。
したがって、カバー２０に収容された状態でのデジタルカメラ１０の撮影時に、撮った画像を液晶パネルに再生させる場合、操作部３０の操作により操作部材１８を回転させ、カバー２０に収容された状態でデジタルカメラ１０を撮影モードから再生モードに切り換えることが可能となる。
詳細に説明すると、操作部３０を操作部材１８に押し込むと、カバー片３６と一体につまみ２４全体が操作部材１８側に変位し、係合部３２の曲面３２Ａの外周部が操作部材１８の外周部に係合する。そして、この状態で操作部３０を回転させると、操作部材１８は係合部３２と共に操作部３０と一体に回転し、撮影モードから再生モードに切り換えられる。
したがって、カバー２０の使い勝手を向上でき、デジタルカメラ１０のカバー２０としての実用的価値、商品価値を格段と高めることが可能となる。
また、本実施例では、つまみ２４が配設されるカバー２０の箇所を透明なカバー片３６を用いて形成したので、操作部材１８と係合部３２の位置関係をカバー２０の外部から簡単に視認でき、つまみ２４の操作性を高める上で有利である。本実施例では、透明な材料を用いて係合部３２が形成されているので、作部材１８と係合部３２の位置関係をカバー２０の外部から視認する上でより一層有利となっている。
また、本実施例では、操作部３０に操作部材１８方向への力を作用させない状態、すなわち、つまみ２４の非使用時に、係合部３２が操作部材１８から離間しているので、操作部３０に何か当たったとしても、操作部材１８が即座に回転されることはなく、したがって、不用意に操作部材１８が回転されることを防止する上でも有利である。
【実施例２】
【００１５】
次に、実施例２について説明する。なお、以下の実施例の説明において実施例１と同様な箇所、部材には同一の符号を付して説明する。
図４は実施例２のつまみ部分の断面図、図５は実施例２のつまみと操作部材の説明図を示す。
実施例２では、操作部材１８の端面１８Ａの形状と、つまみ２４の係合部３２の形状が実施例１と異なっている。
実施例２では、操作部材１８の端面１８Ａで操作部材１８の回転中心を中心とした単一の円周上に、等間隔をおいて複数の（３本の）ピン１８Ｂが突設されている。
また、操作部材１８の端面１８Ａに臨む係合部２４の箇所は、操作部３０側に窪む曲面３２Ｂで形成され、この曲面３２Ｂに、つまみ２４の回転中心を中心としピン１８Ｂが配置される円周と同一寸法の円周上に、係合孔３２Ｃが前記間隔の半分の間隔をおいて複数（６つ）形成されている。
【００１６】
実施例２によれば、操作部３０を操作部材１８に押し込み、操作部３０を回転させると、ピン１８Ｂと係合孔３２Ｃが係合し、操作部材１８と係合部３２とがより確実に一体回転可能に連結される。そして、この状態で操作部３０を回転させると、操作部材１８は係合部３２と共に操作部３０と一体により確実に回転し、撮影モードから再生モードに切り換えられる。
したがって、カバー２０に収容された状態でのデジタルカメラ１０の撮影時に、撮った画像を液晶パネルに再生させる場合、操作部３０の操作により操作部材１８を回転させ、カバー２０に収容された状態でデジタルカメラ１０を撮影モードから再生モードに切り換えることが可能となり、カバー２０の使い勝手を向上でき、デジタルカメラ１０のカバー２０としての実用的価値、商品価値を格段と高めることが可能となる。
なお、ピン１８Ｂを係合部３２に設け、係合孔３２Ｃを操作部材１８の端面１８Ａに設けてもよく、また、実施例のように円柱状のピン１８Ｂや円形の係合孔３２Ｃに限定されず、要するに凸部と凹部が係合し、操作部材１８と係合部３２が一体回転可能に連結される構成であればよい。
また、実施例２では、ピン１８Ｂと係合孔３２Ｃが係合し、これにより操作部材１８と係合部３２が一体回転可能に連結されるので、用いる材料としては、実施例１のように、摩擦係数が高い合成樹脂で形成してもよく、あるいは、摩擦係数が低い硬質な合成樹脂で形成するようにしてもよい。
【実施例３】
【００１７】
次に、実施例３について説明する。
図６は実施例３のつまみ部分の断面図、図７は実施例３のつまみと操作部材の説明図を示す。
実施例３では、操作部材１８の回転中心に、操作部材１８が回転する面と直交する方向に、すなわち、カメラ本体１２の左右方向に押圧操作可能に電源スイッチ４０（特許請求の範囲の押圧式操作部材に相当）が設けられ、これに対応して電源スイッチ４０を押圧する押圧ピン５０がつまみ２４に設けられている。
より詳細に説明すると、つまみ２４の回転中心を通り操作部３０および係合部３２を貫通して孔５２が設けられ、押圧ピン５０はこの孔５２に配設されている。押圧ピン５０は、電源スイッチ４０に係合可能な先端部５００２が孔５２の段部に係止し、基端部５００４と孔５２との間に介設されたスプリング５００６により外側方に付勢されている。
そして、操作部３０に操作部材１８方向への力を作用させない状態で、係合部３２が操作部材１８から離間し、かつ、押圧ピン５０が電源スイッチ４０から離間し、操作部３０に操作部材１８方向への力を作用させ、係合部３２を操作部材１８に係合させた状態で押圧ピン５０を押圧すると、先端部５００２が電源スイッチ４０を押圧し、電源のオン、オフが切り換えられるように構成されている。
実施例３によれば、デジタルカメラ１０がカバー２０に収容された状態で、実施例１、２と同様に、つまみ２４により操作部材１８を回転操作できることは無論のこと、さらに、押圧ピン５０の操作で電源スイッチ４０を切り換えることも可能となり、したがって、カバー２０の使い勝手を向上でき、デジタルカメラ１０のカバー２０としての実用的価値、商品価値をより一層高めることが可能となる。
【００１８】
なお、上記の実施例１乃至３では、電子機器がデジタルカメラである場合について説明したが、本発明が適用される電子機器は、デジタルカメラやビデオカメラに限定されず、筐体と、筐体の表面に設けられた回転式の操作部材（あるいはスイッチ）を有するもので、防塵、あるいは防滴、防水が必要とされるすべての電子機器に広く適用される。
【図面の簡単な説明】
【００１９】
【図１】デジタルカメラを収容した状態のカバーの説明図である。
【図２】カバーのつまみ部分の断面図である。
【図３】つまみと操作部材の説明図である。
【図４】実施例２のカバーのつまみ部分の断面図である。
【図５】つまみと操作部材の説明図である。
【図６】実施例３のカバーのつまみ部分の断面図である。
【図７】つまみと操作部材の説明図である。
【図８】デジタルカメラの説明図である。
【符号の説明】
【００２０】
１０……デジタルカメラ、１２……カメラ本体、１８……操作部材、２０……カバー、２４……つまみ、３０……操作部、３２……係合部。
【図１】
2005303727.tif 000003
【図２】
2005303727.tif 000004
【図３】
2005303727.tif 000005
【図４】
2005303727.tif 000006
【図５】
2005303727.tif 000007
【図６】
2005303727.tif 000008
【図７】
2005303727.tif 000009
【図８】
2005303727.tif 000010